【事件の表示】
　特許第３０２０９１８号「遊技装置」の請求項１ないし３に係る特許に対する特許異議の申立てについて、次のとおり決定する。
【結　論】
　訂正を認める。
　特許第３０２０９１８号の請求項１ないし３に係る特許を維持する。
【理　由】
１．手続の経緯
　特許第３０２０９１８号の請求項１ないし３に係る発明（以下、「本件請求項１ないし３に係る発明」という）は、平成１０年７月２７日の出願され、平成１２年１月１４日にその発明についての特許の設定登録がなされ、その後、この特許に対し平成１２年９月１４日に中川晶子及び鈴木良子から、それぞれ特許異議の申立てがなされ、取消理由を通知したところ、平成１３年１月２３日に特許異議意見書と共に訂正請求書が提出されたものである。
　
２．訂正請求について
２-1．請求の趣旨及び訂正事項
　訂正請求の趣旨は、特許第３０２０９１８号の明細書を訂正請求書に添付した訂正明細書のとおり訂正することを求めるものであり、その訂正事項は、下記のイ〜リのとおりである。
　イ．特許明細書の特許請求の範囲の請求項１に記載の「ゲームを実行する遊技機であって」（特許公報１欄９〜１０行）を、「ゲームを実行する遊技装置であって」と訂正する。
　ロ．特許明細書の特許請求の範囲の請求項１に記載の「付加表示位置に固定的に表示されたシンボルがその列の隣接基本表示位置に位置したとした場合に入賞条件を達成するときには入賞条件達成と判定され得るものである」（特許公報２欄９〜１１行）を、「付加表示位置に固定的に表示されたシンボルがその列の隣接基本表示位置に位置したとした場合に入賞条件を達成するときには入賞条件達成と判定され得るものであり、
付加表示位置に固定的に表示されたシンボルがその列の隣接基本表示位置に位置したとした場合に入賞条件を達成して入賞条件達成と判定され得る状態において、付加表示位置が有効で入賞条件達成と判定されるときと、付加表示位置が無効で入賞条件達成と判定されないときを有する」と訂正する。
　ハ．特許明細書の特許請求の範囲の請求項２に記載の、
「上記遊技機が」（特許公報２欄１３行）を「上記遊技装置が」と、
「１又は２以上の表示装置と、」（特許公報３欄２〜３行）を「２以上の表示装置を表示手段として、」と、
「表示固定装置とを有し、」（特許公報３欄５行）を「表示固定装置を表示固定手段として有し、」と、それぞれ訂正する。
　ニ．特許明細書の特許請求の範囲の請求項３に記載の「表示手段の総数ｎが３である」（特許公報第３欄第１２行）を、「表示手段の総数ｎが３であり、付加表示位置に固定的に表示されたシンボルがその列の隣接基本表示位置に位置したとした場合に入賞条件を達成して入賞条件達成と判定され得る状態において、抽選により、付加表示位置が有効で入賞条件達成と判定されるときと、付加表示位置が無効で入賞条件達成と判定されないときを有する」と訂正する。
　ホ．特許明細書の段落【０００５】に記載の「ゲームを実行する遊技機であって」（特許公報４欄６〜７行）を、「ゲームを実行する遊技装置であって」と訂正する。
　へ．特許明細書の段落【０００５】に記載の「付加表示位置に固定的に表示されたシンボルがその列の隣接基本表示位置に位置したとした場合に入賞条件を達成するときには入賞条件達成と判定され得るものである」（特許公報４欄２０〜２３行）を、「付加表示位置に固定的に表示されたシンボルがその列の隣接基本表示位置に位置したとした場合に入賞条件を達成するときには入賞条件達成と判定され得るものであり、
付加表示位置に固定的に表示されたシンボルがその列の隣接基本表示位置に位置したとした場合に入賞条件を達成して入賞条件達成と判定され得る状態において、付加表示位置が有効で入賞条件達成と判定されるときと、付加表示位置が無効で入賞条件達成と判定されないときを有する」と訂正する。
　ト．特許明細書の段落【０００６】に記載の、
「遊技機の好適な例」（特許公報４欄３１行）を「遊技装置の好適な例」と、
「１又は２以上の表示装置（表示手段）と、」（特許公報４欄３５〜３６行）を「２以上の表示装置を表示手段として、」と、
「表示固定装置（表示固定手段）とを有し、」（特許公報４欄３７〜３８行）を「表示固定装置を表示固定手段として有し、」と、それぞれ訂正する。
　チ．特許明細書の段落【０００７】に記載の「前記遊技機」（特許公報５欄３行）を「前記遊技装置」と訂正する。
　リ．特許明細書の段落【０００９】に記載の「例えば遊技機内部の」（特許公報５欄２６行）を「例えば遊技装置内部の」と訂正する。
２-2．訂正の適否
　訂正事項イ、ハ、ホ、ト〜リは、不明りょうな記載を明りょうにするものであるから、明りょうでない記載の釈明を目的として、願書に添付した明細書または図面に記載した事項の範囲内において訂正するものである。
　また、訂正事項ロは、請求項１において、「付加表示位置に固定的に表示されたシンボルがその列の隣接基本表示位置に位置したとした場合に入賞条件を達成して入賞条件達成と判定され得る状態において、付加表示位置が有効で入賞条件達成と判定されるときと、付加表示位置が無効で入賞条件達成と判定されないときを有する」という事項を付加するものであり、さらに、訂正事項ニは、請求項２において、「付加表示位置に固定的に表示されたシンボルがその列の隣接基本表示位置に位置したとした場合に入賞条件を達成して入賞条件達成と判定され得る状態において、抽選により、付加表示位置が有効で入賞条件達成と判定されるときと、付加表示位置が無効で入賞条件達成と判定されないときを有する」という事項を付加するものであるから、訂正事項ロ及びニは、特許請求の範囲の減縮を目的とするものであって、特許明細書の段落【００３６】、【００８４】に、「付加表示位置の有効・無効を、１ゲーム又は複数ゲーム毎に、抽選を行なった結果又は他の条件により行なうものとすれば、その変更自体も遊技者の興味を引き付け、
更に
より一層
　さらに、訂正事項ヘは、発明の詳細な説明の記載を訂正後の特許請求の範囲の記載と整合させるためのものであるから、明りようでない記載の釈明を目的とするものである。
　そして、訂正事項イ〜リは、実質上特許請求の範囲を拡張し、又は変更するものでもない。
２-3．むすび
　以上のとおりであるから、上記訂正は、特許法第１２０条の４第２項、及び同条第３項において準用する特許法第１２６条第２項ないし第３項の規定に適合するので、当該訂正を認める。
　
３．特許異議の申立てについて
３-1．異議申立ての理由の概要
　両異議申立人は、共に、甲第１号証として特開２０００−３７５００号公報を提出し、本件請求項１ないし３に係る発明は、本件の出願前に出願され、本件の出願後に出願公開された特願平１０−２０９１２８号の願書に最初に添付した明細書又は図面（甲第１号証参照、以下、「先願明細書」という）に記載された発明と同一であるから、本件請求項１ないし３に係る発明の特許は、特許法第２９条の２の規定に違反してされたものであり、取り消されるべきものである旨主張している。
３-2．本件請求項１ないし３に係る発明
　上記「２-2．訂正の適否」に記載したように、上記訂正が認められるから、本件請求項１ないし３に係る発明は、訂正後の特許明細書の特許請求の範囲の請求項１ないし３に記載されたとおりの、
「【請求項１】　複数種のシンボルを順次連続的に表示するための２以上の表示手段と、
その表示手段における前記連続的表示を停止させてシンボルを固定表示させるための表示固定手段とを有し、
　前記表示固定手段を遊技者が操作して前記表示手段にシンボルを固定的に表示させることができ、前記表示手段が固定的に表示したシンボルの種類と位置が所定の入賞条件を達成することと入賞とが対応するゲームを実行する遊技装置であって、
各表示手段について、表示手段の総数ｎと同じ個数のシンボルを一列に表示するｎ個の基本表示位置を有し、
　全表示手段の基本表示位置は、各表示手段毎のｎ個の基本表示位置が表示手段数であるｎ列並んだｎ行×ｎ列の行列状をなし、固定的に表示されたシンボルについての入賞条件達成の判定は、基本表示位置に固定的に表示された水平方向及び対角線方向の（ｎ＋２）通りのｎ個のシンボルの並びのうち全て又は一部について行われ、
一列に並んだｎ個の基本表示位置の一方の端部の延長上に隣接して１個の付加表示位置を有する表示手段を１乃至（ｎ−１）有すると共に、一列に並んだｎ個の基本表示位置の他方の端部の延長上に隣接して１個の付加表示位置を有する表示手段を０乃至（ｎ−１）有し、
　付加表示位置に固定的に表示されたシンボルがその列の隣接基本表示位置に位置したとした場合に入賞条件を達成するときには入賞条件達成と判定され得るものであり、
付加表示位置に固定的に表示されたシンボルがその列の隣接基本表示位置に位置したとした場合に入賞条件を達成して入賞条件達成と判定され得る状態において、付加表示位置が有効で入賞条件達成と判定されるときと、付加表示位置が無効で入賞条件達成と判定されないときを有することを特徴とする遊技装置。
　【請求項２】　上記遊技装置が、
外周面に複数のシンボルが表示され、回転停止状態において前記シンボルの１又は２以上を遊技者が視認し得る、回転自在に支持された回転体、及びその回転体を回転駆動するための回転駆動装置からなる２以上の表示装置を表示手段として、
回転駆動されている前記回転体を停止させてシンボルを固定表示させるための表示固定装置を表示固定手段として有し、
　前記表示固定装置を遊技者が操作して前記表示装置に前記シンボルを停止表示させることができ、
その表示固定装置によって停止した回転体における前記シンボルの種類とその停止位置が所定の入賞条件を達成することと入賞とが対応するスロットマシンである請求項１記載の遊技装置。
　【請求項３】　表示手段の総数ｎが３であり、付加表示位置に固定的に表示されたシンボルがその列の隣接基本表示位置に位置したとした場合に入賞条件を達成して入賞条件達成と判定され得る状態において、抽選により、付加表示位置が有効で入賞条件達成と判定されるときと、付加表示位置が無効で入賞条件達成と判定されないときを有する請求項１又は２記載の遊技装置。」
により特定されるものである。
３-3．先願明細書記載の発明
　先願明細書には、
　ａ．「【請求項１】　乱数抽選によって遊技の入賞態様を決定する入賞態様決定手段と、種々の図柄を複数列に可変表示する可変表示装置と、前記各列に表示される図柄をつないで図柄組合せを決める複数本の入賞ラインと、前記入賞態様決定手段で決定された入賞態様に応じた図柄を予め定めた個数の範囲内で入賞ライン上に引き込んで停止表示させる停止表示制御手段とを備えて構成される遊技機において、
前記可変表示装置は、前記各列のうちの少なくとも１列に、残りの列に可変表示される図柄の個数よりも多くの個数の図柄を可変表示し、
前記少なくとも１列の図柄のうち、残りの前記列の図柄に隣接しない図柄を通って図柄組合せを決める入賞ラインをさらに有することを特徴とする遊技機。
　【請求項２】　前記可変表示装置は、種々の図柄を３列に可変表示し、これら各列のうちの少なくとも１列に５個の図柄を可変表示し、残りの列に３個の図柄を可変表示し、
前記入賞ラインは、前記各列に表示される図柄を行方向につないで３個の図柄からなる図柄組合せを決める３本の入賞ラインおよび前記各列に表示される図柄を斜め方向につないで３個の図柄からなる図柄組合せを決める２本の入賞ラインと、前記少なくとも１列の５個の図柄のうち、残りの前記列の３個の図柄に隣接しない図柄を通って３個の図柄からなる図柄組合せを決める少なくとも２本の入賞ラインとからなることを特徴とする請求項１に記載の遊技機。」（【特許請求の範囲】の【請求項１】および【請求項２】）、
　ｂ．「【０００２】
【従来の技術】従来、この種の遊技機としては例えば図１５に示すスロットマシンがある。遊技者によってスタートレバー１が操作されると、並設された３個のリ一ル２，３，４が回転し出す。各リール２，３，４の外周表面には種々の図柄が２１個ずつ描かれており、これら図柄は前面パネル８に設けられた３個の表示窓５，６，７を介し、各リール２，３，４毎に３個ずつ列状に観察される。その後、遊技者によって停止ボタン９，１０，１１が操作されると、各リール２，３，４の回転は停止ボタン９，１０，１１の操作タイミングに応じて停止する。このとき、各表示窓５，６，７に描かれた入賞ライン１２〜１６のうち、有効化された入賞ライン上に所定の図柄組合せが停止表示されると入賞が発生し、入賞役に応じた枚数のメダルが払出口１７から受け皿１８へ払い出される。」（段落【０００２】）、
　ｃ．「【００１６】スロットマシン２１の前面パネル２２の背後には可変表示装置を構成する３個のリ一ル２３，２４，２５が回転自在に設けられている。各リール２３，２４，２５の外周面には複数種類の図柄（以下、シンボルという）から成るシンボル列が描かれている。これらシンボルはスロットマシン２１の正面の左側表示窓２６および中央表示窓２７を通してそれぞれ３個ずつ観察され、右側表示窓２８を介して５個観察される。すなわち、第１リール２３，第２リール２４は左の第１列，中央の第２列にそれぞれ３個の図柄を可変表示し、第３リール２５は右の第３列に５個の図柄を可変表示する。また、表示窓２６，２７，２８の下方右側には、遊技者がメダルを入れるための投入口２９が設けられている。
【００１７】各リール２３〜２５は図２に示す回転リールユニットとして構成されており、フレーム５１にブラケット５２を介して取り付けられている。各リール２３〜２５はリールドラム５３の外周にリール帯５４が貼られて構成されている。リール帯５４の外周面には上記のようにシンボル列が描かれている。また、各ブラケット５２にはステッピングモー夕５５が設けられており、各リール２３〜２５はこれらモータ５５が駆動されて回転する。」（段落【００１６】〜【００１７】）、
　ｄ．「【００１９】また、図１に示す表示窓２６〜２８には、リール２３〜２５の各列に表示されるシンボルを行方向つまり水平方向につないで３個のシンボルからなるシンボル組合せを決める３本の入賞ラインＬ１，Ｌ２，Ｌ３が記されており、各列に表示されるシンボルを斜め方向につないで３個のシンボルからなるシンボル組合せを決める２本の入賞ラインＬ４，Ｌ５が記されている。さらに、第３列に表示される５個のシンボルのうち、第２列に表示される３個のシンボルに隣接しないシンボル、つまり、上端および下端のシンボルを通って３個のシンボルからなるシンボル組合せを決める２本の入賞ラインＬ６，Ｌ７が記されている。」（段落【００１９】）、
　ｅ．「【００２２】これらＢＥＴスイッチ４０〜４２の下方にはクレジット／精算切換スイッチ（Ｃ／Ｐスイッチ）４４およびスタートレバー４５が設けられており、スタートレバー４５の右方の機器中央部には停止ボタン４６，４７，４８が設けられている。Ｃ／Ｐスイッチ４４の押しボタン操作により、メダルのクレジット／払い出し（PLAY CREDIT／PAY OUT）を切り換えることが出来る。
【００２３】スタートレバー４５のレバー操作により、リール２３，２４，２５の回転が一斉に開始する。停止ボタン４６，４７，４８は、各リール２３，２４，２５に対応して配置されており、各リール２３，２４，２５の回転表示を各列毎に停止させる。各リール２３〜２５の回転速度が一定速度に達したときに各停止ボタン４６〜４８の操作が有効化され、各停止ボタン４６〜４８は遊技者の押しボタン操作に応じて各リール２３〜２５の回転を停止させる。」（段落【００２２】〜【００２３】）、
　ｆ．「【００６４】また、上述した実施形態では、第３リール２５のシンボルを５個表示窓２８に表示し、この表示列の上端および下端のシンボルを通る入賞ラインＬ６，Ｌ７を新たに設定したが、本発明はこれに限定されるものではない。例えば、図１３（ａ）に示すように、第１リール２３のシンボルを５個表示窓２６に表示し、この表示列の上端および下端のシンボルを通る入賞ラインＬ６，Ｌ７を図示するように新たに設定してもよい。また、同図（ｂ）に示すように、第２リール２４のシンボルを５個表示窓２７に表示し、この表示列の下端および上端のシンボルを通る谷型入賞ラインＬ６および山型入賞ラインＬ７を図示するように新たに設定してもよい。また、同図（ｃ）に示すように、第１リール２３および第３リール２５のシンボルをそれぞれ５個ずつ表示窓２６および２８に表示し、これら各表示列の下端を通る山型入賞ラインＬ６およびこれら各表示列の上端のシンボルを通る谷型入賞ラインＬ７を図示するように新たに設定してもよい。
【００６５】このように本発明による回転リール２３〜２５は、第１〜第３の各可変表示列のうちの少なくとも１列に５個のシンボル、残りの列に３個のシンボルを可変表示し、また、少なくとも１列の５個のシンボルのうち、残りの列の３個のシンボルに隣接しないシンボルを通って３個のシンボル組合せを決める少なくとも２本の入賞ラインＬ６，Ｌ７をさらに有する構成であればよい。すなわち、回転リール２３〜２５は、各可変表示列のうちの少なくとも１列に、残りの列に可変表示されるシンボルの個数よりも多くの個数のシンボルを可変表示し、上記少なくとも１列のシンボルのうち、残りの列のシンボルに隣接しないシンボルを通ってシンボル組合せを決める入賞ラインをさらに有する構成であればよい。」（段落【００６４】〜【００６５】）、
　ｇ．「【００７１】
【発明の効果】以上説明したように本発明によれば、遊技機の可変表示装置の図柄表示領域が拡大すると共に、拡大したこの領域にも入賞ラインが設定される。従って、ある入賞態様に応じた図柄のリ一ル引込制御を確実に行うために、可変表示装置の１列当たりに配置する必要がある、その入賞態様図柄の個数は従来に比較して少なくて済む。よって、可変表示装置の各列により多くの種類の図柄を設けることが可能になり、多様な入賞図柄組合せを設定できて遊技の興趣は向上する。」（段落【００７１】）と記載されている。
　そして、図１、３、１３、１５には、全回転リール２３〜２５の表示位置は、各回転リール２３〜２５毎の３個の表示位置が回転リール数である３列並んだ３行×３列の行列状をなし、前記３列のうち１又は２つの列に、列の３個のシンボルの上端及び下端の延長上に隣接して１個ずつ付加表示位置を設け、５個のシンボルを表示し、この付加表示位置に固定的に表示されたシンボルと残りの他の列の下端シンボルおよび上端シンボルを通る谷型入賞ラインＬ６および山型入賞ラインＬ７をさらに有することが示されている。
　以上の明細書及び図面の記載によれば、先願明細書には、
　外周表面に複数のシンボルが描かれ、該シンボルを順次連続的に可変表示するための３個の回転リール２３〜２５と、その３個の回転リール２３〜２５における前記連続的表示を停止させてシンボルを固定表示させるための停止ボタン４６〜４８とを有し、前記停止ボタン４６〜４８を遊技者が操作して前記回転リール２３〜２５のシンボルを固定的に表示させることができ、前記回転リール２３〜２５が固定的に表示したシンボルの種類と位置が所定の入賞条件を達成することと入賞とが対応するゲームを実行する遊技機であって、
　各回転リール２３〜２５について、回転リール２３〜２５の総数３と同じ個数のシンボルを一列に表示する３個の表示位置を有し、
　全回転リール２３〜２５の表示位置は、各回転リール２３〜２５毎の３個の表示位置が回転リール数である３列並んだ３行×３列の行列状をなし、固定的に表示されたシンボルについての入賞条件達成の判定は、リール２３〜２５の各列に表示されるシンボルを水平方向につないで３個のシンボルからなるシンボル組合せを決める３本の入賞ラインＬ１，Ｌ２，Ｌ３及び各列に表示されるシンボルを斜め方向につないで３個のシンボルからなるシンボル組合せを決める２本の入賞ラインＬ４，Ｌ５からなる５通りの３個のシンボルの並びについて行われると共に、
　前記３列のうち１又は２つの列に、列の３個のシンボルの上端及び下端の延長上に隣接して１個ずつ付加表示位置を設け、回転リールの５個のシンボルを表示し、この付加表示位置に固定的に表示されたシンボルと残り他の列の下端シンボルおよび上端シンボルを通る谷型入賞ラインＬ６および山型入賞ラインＬ７をさらに有する遊技機という発明が記載されていると認められる。
３-4．対比・判断 
３-4-1．本件請求項１に係る発明について
　本件請求項１に係る発明と先願明細書記載の発明とを対比すると、
　先願明細書記載の発明の「回転リール２３〜２５」、「停止ボタン４６〜４８」、「遊技機」、「表示位置」及び「斜め方向」が、本件請求項１に係る発明の「表示手段」、「表示固定手段」、「遊技装置」、「基本表示位置」及び「対角線方向」にそれぞれ相当し、また、本件請求項１に係る発明における表示手段の総数即ち回転リールの総数を一般に実施されているスロットマシンの如く３として適用すれば、先願明細書記載の発明に対応するものとなり、また、先願明細書記載の発明の「３列のうち１又は２つの列に、列の３個のシンボルの上端及び下端の延長上に隣接して１個ずつ付加表示位置を設け、回転リールの５個のシンボルを表示し、この付加表示位置に固定的に表示されたシンボルと残り他の列の下端シンボルおよび上端シンボルを通る谷型入賞ラインＬ６および山型入賞ラインＬ７」は、本件請求項１に係る発明の表示手段の総数を３として適用した構成事項「一列に並んだ３個の基本表示位置の一方の端部の延長上に隣接して１個の付加表示位置を有する表示手段を１乃至２有すると共に、一列に並んだ３個の基本表示位置の他方の端部の延長上に隣接して１個の付加表示位置を有する表示手段を０乃至２有し、付加表示位置に固定的に表示されたシンボルがその列の隣接基本表示位置に位置したとした場合に入賞条件を達成するときには入賞条件達成と判定され得るもの」と実質的に一致する。
　そうすると、本件請求項１に係る発明と先願明細書記載の発明とは、
　本件請求項１に係る発明が、「付加表示位置に固定的に表示されたシンボルがその列の隣接基本表示位置に位置したとした場合に入賞条件を達成して入賞条件達成と判定され得る状態において、付加表示位置が有効で入賞条件達成と判定されるときと、付加表示位置が無効で入賞条件達成と判定されないときを有する」のに対し、先願明細書記載の発明は、この点を具備していない点で構成が相違している。
　そして、本件請求項１に係る発明は、上記相違点における事項を構成要件とすることにより、特許明細書の段落【００８４】に記載の「付加表示位置の有効・無効を、１ゲーム又は複数ゲーム毎に、抽選を行なった結果又は他の条件により行なうものとすれば、その変更自体も遊技者の興味を引き付け、より一層興趣を高めることができる。」（特許公報１８欄３７〜４１行）という先願明細書記載の発明からは期待でない効果を奏するものである。
　してみると、本件請求項１に係る発明は、先願明細書記載の発明と同一であるとすることはできない。
３-4-2．本件請求項２、３に係る発明について
　本件請求項２及び３は、それぞれ請求項１を引用して記載されており、本件請求項２及び３に係る発明は本件請求項１に係る発明を更に限定するものであるから、上記「３-4-1．本件請求項１に係る発明について」でした判断のとおり、本件請求項２及び３に係る発明が先願明細書記載の発明と同一であるとすることはできない。
３-5．むすび
  以上のとおりであるから、特許異議の申立ての理由及び証拠方法によっては、本件請求項１ないし３に係る発明についての特許を取り消すことはできない。
　また、他に本件請求項１ないし３に係る発明についての特許を取り消すべき理由を発見しない。
　よって、結論のとおり決定する。
【異議決定日】
平成１３年７月６日（２００１．７．６）
【訂正の要旨】
１．特許請求の範囲の減縮を目的として、
（１）特許明細書の特許請求の範囲の請求項１に記載の「付加表示位置に固定的に表示されたシンボルがその列の隣接基本表示位置に位置したとした場合に入賞条件を達成するときには入賞条件達成と判定され得るものである」（特許公報２欄９〜１１行）を、
「付加表示位置に固定的に表示されたシンボルがその列の隣接基本表示位置に位置したとした場合に入賞条件を達成するときには入賞条件達成と判定され得るものであり、
付加表示位置に固定的に表示されたシンボルがその列の隣接基本表示位置に位置したとした場合に入賞条件を達成して入賞条件達成と判定され得る状態において、付加表示位置が有効で入賞条件達成と判定されるときと、付加表示位置が無効で入賞条件達成と判定されないときを有する」と訂正する。
（２）特許明細書の特許請求の範囲の請求項３に記載の「表示手段の総数ｎが３である」（特許公報第３欄第１２行）を、「表示手段の総数ｎが３であり、付加表示位置に固定的に表示されたシンボルがその列の隣接基本表示位置に位置したとした場合に入賞条件を達成して入賞条件達成と判定され得る状態において、抽選により、付加表示位置が有効で入賞条件達成と判定されるときと、付加表示位置が無効で入賞条件達成と判定されないときを有する」と訂正する。
２．明りようでない記載の釈明を目的として、
（１）特許明細書の特許請求の範囲の請求項１に記載の「ゲームを実行する遊技機であって」（特許公報１欄９〜１０行）を「ゲームを実行する遊技装置であって」と訂正する。
（２）特許明細書の特許請求の範囲の請求項２に記載の、
「上記遊技機が」（特許公報２欄１３行）を「上記遊技装置が」と、
「１又は２以上の表示装置と、」（特許公報３欄２〜３行）を「２以上の表示装置を表示手段として、」と、
「表示固定装置とを有し、」（特許公報３欄５行）を「表示固定装置を表示固定手段として有し、」と、それぞれ訂正する。
（３）特許明細書の段落【０００５】に記載の、
「ゲームを実行する遊技機であって」（特許公報４欄６〜７行）を「ゲームを実行する遊技装置であって」と、
「付加表示位置に固定的に表示されたシンボルがその列の隣接基本表示位置に位置したとした場合に入賞条件を達成するときには入賞条件達成と判定され得るものである」（特許公報４欄２０〜２３行）を「付加表示位置に固定的に表示されたシンボルがその列の隣接基本表示位置に位置したとした場合に入賞条件を達成するときには入賞条件達成と判定され得るものであり、
付加表示位置に固定的に表示されたシンボルがその列の隣接基本表示位置に位置したとした場合に入賞条件を達成して入賞条件達成と判定され得る状態において、付加表示位置が有効で入賞条件達成と判定されるときと、付加表示位置が無効で入賞条件達成と判定されないときを有する」と、それぞれ訂正する。
（４）特許明細書の段落【０００６】に記載の、
「遊技機の好適な例」（特許公報４欄３１行）を「遊技装置の好適な例」と、
「１又は２以上の表示装置（表示手段）と、」（特許公報４欄３５〜３６行）を「２以上の表示装置を表示手段として、」と、
「表示固定装置（表示固定手段）とを有し、」（特許公報４欄３７〜３８行）を「表示固定装置を表示固定手段として有し、」と、それぞれ訂正する。
（５）特許明細書の段落【０００７】に記載の「前記遊技機」（特許公報５欄３行）を「前記遊技装置」と訂正する。
（６）特許明細書の段落【０００９】に記載の「例えば遊技機内部の」（特許公報５欄２６行）を「例えば遊技装置内部の」と訂正する。
（５４）【発明の名称】
遊技装置
（５７）【特許請求の範囲】
　【請求項１】
　複数種のシンボルを順次連続的に表示するための２以上の表示手段と、
その表示手段における前記連続的表示を停止させてシンボルを固定表示させるための表示固定手段とを有し、
前記表示固定手段を遊技者が操作して前記表示手段にシンボルを固定的に表示させることができ、前記表示手段が固定的に表示したシンボルの種類と位置が所定の入賞条件を達成することと入賞とが対応する
ゲームを実行する遊技装置であって
各表示手段について、表示手段の総数ｎと同じ個数のシンボルを一列に表示するｎ個の基本表示位置を有し、
全表示手段の基本表示位置は、各表示手段毎のｎ個の基本表示位置が表示手段数であるｎ列並んだｎ行×ｎ列の行列状をなし、固定的に表示されたシンボルについての入賞条件達成の判定は、基本表示位置に固定的に表示された水平方向及び対角線方向の（ｎ＋２）通りのｎ個のシンボルの並びのうち全て又は一部について行われ、
一列に並んだｎ個の基本表示位置の一方の端部の延長上に隣接して１個の付加表示位置を有する表示手段を１乃至（ｎ−１）有すると共に、一列に並んだｎ個の基本表示位置の他方の端部の延長上に隣接して１個の付加表示位置を有する表示手段を０乃至（ｎ−１）有し、
付加表示位置に固定的に表示されたシンボルがその列の隣接基本表示位置に位置したとした場合に入賞条件を達成するときには入賞条件達成と判定され得るものであり、
付加表示位置に固定的に表示されたシンボルがその列の隣接基本表示位置に位置したとした場合に入賞条件を達成して入賞条件達成と判定され得る状態において、付加表示位置が有効で入賞条件達成と判定されるときと、付加表示位置が無効で入賞条件達成と判定されないときを有する
　【請求項２】
　
上記遊技装置が
外周面に複数のシンボルが表示され、回転停止状態において前記シンボルの１又は２以上を遊技者が視認し得る、回転自在に支持された回転体、及びその回転体を回転駆動するための回転駆動装置からなる
２以上の表示装置を表示手段として、
回転駆動されている前記回転体を停止させてシンボルを固定表示させるための
表示固定装置を表示固定手段として有し、
前記表示固定装置を遊技者が操作して前記表示装置に前記シンボルを停止表示させることができ、
その表示固定装置によって停止した回転体における前記シンボルの種類とその停止位置が所定の入賞条件を達成することと入賞とが対応するスロットマシンである請求項１記載の遊技装置。
　【請求項３】
　表示手段の総数ｎが３であ
り、付加表示位置に固定的に表示されたシンボルがその列の隣接基本表示位置に位置したとした場合に入賞条件を達成して入賞条件達成と判定され得る状態において、抽選により、付加表示位置が有効で入賞条件達成と判定されるときと、付加表示位置が無効で入賞条件達成と判定されないときを有する
【発明の詳細な説明】
　【０００１】
　【発明の属する技術分野】
　本発明は、表示されるシンボルの組み合わせにより入賞の成否が判定されるスロットマシン等の遊技装置、特に、通常の有効位置以外の位置のシンボルを一定条件下で有効とするスロットマシン等の遊技装置に関する。
　【０００２】
　【従来の技術及び発明が解決しようとする課題】
　表示されるシンボルの組み合わせにより入賞の成否が判定される遊技装置の代表例であるスロットマシンは、従来、横方向に並列する３つのリールがそれぞれたてに３個のシンボルを表示することにより、たて３列×よこ３行の行列状に表示される９個のシンボルのうち横線３本及び対角線２本の５通りの直線上の各３個のシンボルの組み合わせのみを入賞条件達成の判定上有効とする。この場合、判定ラインが全て直線なので遊技者は入賞の成否を判断し易いが、マンネリ化しているきらいがある。
　【０００３】
　実公平６−５８２４号公報には、従来のスロットマシンと同様にたて３列×よこ３行の行列状に表示される９個のシンボルのうち、横線３本及び対角線２本の５通りの直線上の各３個のシンボルの組み合わせに加え、同じ行の左右のシンボルとその１つ上又は１つ下の行の中央のシンボルからなる４通りの各３個のシンボルの組合せを入賞条件達成の判定上有効とし、入賞の期待感を増大させ得るものが開示されている。しかしながら、このような組み合わせの規則は遊技者にとって飲み込み難く、その点において却ってゲームの興趣を削ぎかねないというおそれがあった。
　【０００４】
　本発明は、従来技術に存した上記のような問題点に鑑み行われたものであって、その目的とするところは、　遊技者に新しさを感じさせると共に入賞の期待感を増大させ、入賞の成否判断が容易な遊技装置を提供することにある。
　【０００５】
　【課題を解決するための手段】
　本発明の遊技装置は、
複数種のシンボルを順次連続的に表示するための２以上の表示手段と、
その表示手段における前記連続的表示を停止させてシンボルを固定表示させるための表示固定手段とを有し、
前記表示固定手段を遊技者が操作して前記表示手段にシンボルを固定的に表示させることができ、前記表示手段が固定的に表示したシンボルの種類と位置が所定の入賞条件を達成することと入賞とが対応する
ゲームを実行する遊技装置であって
各表示手段について、表示手段の総数ｎと同じ個数のシンボルを一列に表示するｎ個の基本表示位置を有し、
全表示手段の基本表示位置は、各表示手段毎のｎ個の基本表示位置が表示手段数であるｎ列並んだｎ行×ｎ列の行列状をなし、固定的に表示されたシンボルについての入賞条件達成の判定は、基本表示位置に固定的に表示された水平方向及び対角線方向の（ｎ＋２）通りのｎ個のシンボルの並びのうち全て又は一部について行われ、
一列に並んだｎ個の基本表示位置の一方の端部の延長上に隣接して１個の付加表示位置を有する表示手段を１乃至（ｎ−１）有すると共に、一列に並んだｎ個の基本表示位置の他方の端部の延長上に隣接して１個の付加表示位置を有する表示手段を０乃至（ｎ−１）有し、
付加表示位置に固定的に表示されたシンボルがその列の隣接基本表示位置に位置したとした場合に入賞条件を達成するときには入賞条件達成と判定され得るものであり、
付加表示位置に固定的に表示されたシンボルがその列の隣接基本表示位置に位置したとした場合に入賞条件を達成して入賞条件達成と判定され得る状態において、付加表示位置が有効で入賞条件達成と判定されるときと、付加表示位置が無効で入賞条件達成と判定されないときを有する
　【０００６】
　上記の複数種のシンボルを順次連続的に表示するための２以上の表示手段と、
その表示手段における前記連続的表示を停止させてシンボルを固定表示させるための表示固定手段とを有し、
前記表示固定手段を遊技者が操作して前記表示手段にシンボルを固定的に表示させることができ、前記表示手段が固定的に表示したシンボルの種類と位置が所定の入賞条件を達成することと入賞とが対応するゲームを実行する
遊技装置の好適な例
外周面に複数のシンボルが表示され、回転停止状態において前記シンボルの１又は２以上を遊技者が視認し得る、回転自在に支持された回転体、及びその回転体を回転駆動するための回転駆動装置からなる
２以上の表示装置を表示手段として、
回転駆動されている前記回転体を停止させてシンボルを固定表示させるための
表示固定装置を表示固定手段として有し、
前記表示固定装置を遊技者が操作して前記表示装置に前記シンボルを停止表示させることができ、
その表示固定装置によって停止した回転体における前記シンボルの種類とその停止位置が所定の入賞条件を達成することと入賞とが対応するスロットマシンを挙げることができる（請求項２）。
（１）　前記シンボルとは、図形、絵、文字、記号等を意味するものであり、その例としては、プラム、スイカ、チェリー、ベル等の絵、「７」の文字、「ＢＡＲ」の文字、「ＲＰ」の文字等を挙げることができる。
　【０００７】
　前記の複数種のシンボルを順次連続的に表示するための表示手段は、前記好適な例におけるような、ステッピングモータ等の回転駆動装置により回転駆動される回転体のほか、例えば、ＣＲＴや液晶パネル等のビデオディスプレイ装置を利用したものであってもよい。
前記遊技装置
　【０００８】
　前記回転体の一般的な例としては、多種のシンボルが外周面の周方向に順に１つずつ表示されたリールを挙げることができる。
　【０００９】
　前記表示固定手段は、例えば、遊技者が操作する停止ボタンによる停止信号に応答して、前記のような回転体を回転駆動するステッピングモータ等の回転駆動装置を適宜のタイミングで停止させ得るものとすることができる。なお、前記表示固定手段は、遊技者が不操作状態で所定時間経過することにより発生する停止信号に応答して、前記ステッピングモータ等の回転駆動装置を適宜のタイミングで停止させ得るようにすることもできる。又は、ビデオディスプレイ装置によるシンボルの表示を適宜のタイミングで固定表示させるものとすることができる。或いは、
例えば遊技装置内部の
　【００１０】
　表示手段による表示内容の表示は、例えば少なくとも遊技者が視認し得る程度の時間、表示内容を固定状態で表示するものであれば、固定的表示ということができる。
（２）　各表示手段についての基本表示位置の個数は、表示手段の総数ｎ（ｎは２又は３以上の整数）と同じであり、全表示手段の基本表示位置は、ｎ個の基本表示位置が表示手段数であるｎ列並んだｎ行×ｎ列の行列状をなす。
　【００１１】
　上記回転体等の表示手段の総数ｎは３であることが好ましい（請求項３）。その場合、各表示手段（回転体等）についての基本表示位置の個数は３であり、全表示手段（回転体等）の基本表示位置は、３個の基本表示位置が表示手段数である３列並んだ３行×３列の行列状をなす。現在の一般的なスロットマシンはこれに該当する。
　【００１２】
　なお、全表示手段についての基本表示位置が構成するｎ行×ｎ列の行列の形状は、必ずしも正方形状であることを要しない。長方形状や菱形状等であってもよい。
（３）　一列に並んだｎ個の基本表示位置の一方の端部の延長上に隣接して１個の付加表示位置を有する表示手段を１乃至ｎ有すると共に、一列に並んだｎ個の基本表示位置の他方の端部の延長上に隣接して１個の付加表示位置を有する表示手段を０乃至ｎ有する。
　【００１３】
　一方の端部というのは、ある表示手段についての一列に並んだｎ個の基本表示位置の両端部のうち何れか一方を意味し、他の表示手段についても同じ側の端部を意味する。他方の端部というのは、何れの表示手段についても、前記一方以外の端部（反対側の端部）を意味する。例えば、各表示手段についてのｎ個の基本表示位置が上下方向に一列に並び、ｎ列のｎ個の基本表示位置が横方向に並列してｎ行×ｎ列の行列を構成している場合、一方の端部というのは、各列におけるそれぞれ下端部の基本表示位置を意味するか、各列におけるそれぞれ上端部の基本表示位置を意味する。前者の場合、他方の端部は各列におけるそれぞれ上端部の基本表示位置を意味し、後者の場合、各列におけるそれぞれ下端部の基本表示位置を意味する。
　【００１４】
　各表示手段は、付加表示位置を一方の端部の延長上に隣接した位置と他方の端部の延長上に隣接した位置の両方に有するものであってもよく、一方にのみ有するものであってもよく、何れにも有していないものであってもよい。
　【００１５】
　表示手段の総数ｎが３の場合、３個のリール（回転体）の各３つのシンボルをシンボル表示窓に表示する従来のスロットマシンをほぼそのまま使用し得る。すなわち、正面パネルのシンボル表示窓付近を変えるだけで、従来のスロットマシンを利用し得、スロットマシンの通常の機種変更と同様の軽微な負担で済む。
（４）　固定的に表示されたシンボルについての入賞条件達成の判定は、基本表示位置に固定的に表示された水平方向及び対角線方向の（ｎ＋２）通りのｎ個のシンボルの並びのうち全て又は一部について行われ、付加表示位置に固定的に表示されたシンボルがその列の隣接基本表示位置に位置したとした場合に入賞条件を達成するときには入賞条件達成と判定され得る。
　【００１６】
　すなわち、基本表示位置においてｎ行×ｎ列の行列状に固定的に表示されたシンボルのうち、水平方向のｎ行（すなわちｎ通り）のｎ個のシンボルの並びと、対角線方向２通りのｎ個のシンボルの並びの、合計（ｎ＋２）通りのシンボルの並びのうち全て又は一部について入賞条件達成の判定が行われる。（ｎ＋２）通りのシンボルの並びのうちどれを有効とするかは、例えば、ゲームに賭けるメダル数（価値手段の一例）等の条件に応じて変化するものとすることができる。より具体的には、例えば、メダル１枚の場合水平方向の１行を、メダル２枚の場合水平方向のｎ行を、メダル３枚の場合全ての並びを、それぞれ有効とすることができる。なお、入賞条件は、各並びにおけるｎ個のシンボル全てによって判定されるもの（例えばｎ個のシンボル全てが特定の同一シンボルであることを入賞条件とするもの）であることを必ずしも要しない。ｎ個のうち任意位置又は特定位置（例えば左端の１個のシンボル又は左から２個のシンボル等）の１乃至（ｎ−１）個のシンボルによって判定されるものであってもよい。
　【００１７】
　有効な並びのシンボルに同じ列で隣接する付加表示位置がある場合、その付加表示位置に固定的に表示されたシンボルがもし同列の隣接する基本表示位置に位置したとしたときに入賞条件を達成するならば入賞条件達成と判定され得る。例えば、水平方向ｎ行×上下方向ｎ列基本表示位置のうち上端位置の第１行のｎ個（第１列乃至第ｎ列のｎ個）のシンボルの並びが有効であって、第１列における第１行の基本表示位置の上に隣接して付加表示位置がある場合、その付加表示位置に固定的に表示された１個のシンボルと第１行の第２列乃至第ｎ列に固定的に表示された（ｎ−１）個のシンボルが第１行に並んだとしたときに入賞条件を達成するならば入賞条件達成と判定され得る。従って、１つの表示手段においてシンボルの固定的表示位置が１つずれていて本来入賞し得ない場合が、言わばおまけとして入賞となり得る。
　【００１８】
　付加表示位置に固定的に表示されたシンボルがその列の隣接基本表示位置に位置したとした場合に入賞条件を達成するときに、常に入賞条件達成と判定される（すなわち付加表示位置が常に有効である）ものとすることができる他、抽選やその他の条件により入賞条件達成と判定される場合（付加表示位置が有効）と判定されない場合（付加表示位置が無効）があるものとすることもできる。抽選等の条件に従って、各付加表示位置が有効であるか否かをＬＥＤ（発光ダイオード）やランプ等の有効位置表示装置により遊技者に示すようにすることもできる。
　【００１９】
　なお、本発明の遊技装置が２以上の付加表示位置を有する場合、何れか１つの付加表示位置に固定的に表示されたシンボルがその列の隣接基本表示位置に位置したとした場合に入賞条件を達成するときに入賞条件達成と判定され得ると共に、２以上の付加表示位置に固定的に表示されたそれぞれのシンボルがそれぞれの列の隣接基本表示位置に位置したとした場合に入賞条件を達成するときに入賞条件達成と判定され得るものとすることができる。
　【００２０】
　また、一列に並んだｎ個の基本表示位置の一方の端部の延長上に隣接して１個の付加表示位置を有する表示手段をｎ有する場合、及び、一列に並んだｎ個の基本表示位置の他方の端部の延長上に隣接して１個の付加表示位置を有する表示手段をｎ有する場合、一方の端部の付加表示位置に固定的に表示されたｎ個のシンボル又は他方の端部の付加表示位置に固定的に表示されたｎ個のシンボルによっても入賞条件が判定されるものとすることもできる。
（５）　本発明の遊技装置により実行されるゲームにおいては、表示固定手段によって表示手段が固定的に表示した有効シンボルの位置と種類が所定の入賞条件を達成することとゲームの入賞とが対応し、入賞の有無及び賞の種類は、表示手段が固定的に表示したシンボルの種類と位置によって遊技者に示される。
　【００２１】
　入賞の有無及びその賞の種類は、入賞条件達成の有無を判定する入賞判定手段を設けることにより判定することができる。
　【００２２】
　入賞条件達成というのは、例えば、▲１▼遊技者が操作する停止ボタンによる停止信号又は不操作状態で所定時間放置することにより発生する停止信号に応答して適宜のタイミングで固定表示されたシンボルの停止位置とその種類についての条件を達成することとすることができる。
　【００２３】
　或いは、入賞条件達成を、例えば、▲２▼適宜タイミングで乱数サンプリングを実行し、得られたサンプリング値により判断する抽選手段、又はその他の抽選手段の実行により判断するものとすることができる。
　【００２４】
　また或いは、入賞条件達成を、例えば、▲３▼所定の内部当り条件の達成によって、その内部当り条件に対応する賞についての内部当り状態が内部当り設定手段により設定された上で、遊技者が操作する停止ボタンによる停止信号又は遊技者が表示手段を固定表示させずに不操作状態で所定時間放置することにより発生する停止信号を受けた時点から前記条件によって特定されるシンボルが特定位置に表示されるまでのずれが所定範囲内であることとすることもできる。なお、入賞の条件は、常に一定であることを必ずしも要しない。入賞の条件や賞の内容を適宜変更することもできる。
　【００２５】
　上記▲３▼の場合について更に説明する。
　【００２６】
　内部当り条件は、任意に定めることができる。例えば、各ゲームにおいて乱数サンプリングを実行し、得られたサンプリング値が特定範囲の値であることにより内部当り条件が達成されるもの（すなわち抽選）としたり、内部当り条件達成をその他の抽選手段により判定したり、ゲーム中に表示手段が固定的に表示する表示内容によって内部当り条件達成を判定することもできる。内部当り条件達成の確率は、例えば前記のようなサンプリング値が内部当りに該当することとなる幅を大小様々とすることにより、各内部当り対象賞毎に様々に設定することができる。
　【００２７】
　内部当り設定手段は、内部当り条件を達成したか否かを判定し、内部当り条件を達成した場合は、例えばその内部当り条件に該当するフラグをセットすることにより内部当り状態を設定するものとすることができる。
　【００２８】
　内部当り状態が設定されている場合、例えば、その賞に入賞する率が上がるものとすること又は入賞がほぼ確実となるものとすること、すなわち高入賞率化するものとすることができる。内部当り状態は、例えば１回のゲームが終われば解除されるものとすることもでき、内部当りとなった賞に入賞するまで継続するものとすることもでき、回数や時間やその他の条件によって定まる所定期間内のみ継続するものとすることもできる。
　【００２９】
　本明細書中、ほぼ確実というのは、例えば７割以上、好ましくは８割以上、より好ましくは９割以上の確実性を言い、確実である場合を含む。
　【００３０】
　高入賞率化は、前記内部当り条件が達成された場合に、例えば、遊技者が操作する停止ボタンによる停止信号を受けた時点から前記内部当り条件によって特定される賞に対応するシンボルが特定位置に表示されるまでのずれが所定範囲内であることを条件にそのシンボルを入賞に必要な位置（基本表示位置又は付加表示位置）に停止させること（所謂引き込み）による高入賞率化を実現するものとすることができる。回転体等の表示手段において該当するシンボルの出現率が高ければ、より高率で入賞可能となり、該当するシンボルが、所謂引き込みにおけるずれの許容範囲内毎に万遍なく配されていれば、確実に又はほぼ確実に入賞し得ることとなる。
　【００３１】
　なお、高入賞率というのは、回転体等の表示手段が回転等により順次連続的に表示するシンボルを見ながら遊技者が停止ボタン等を操作して所要のシンボルが所要位置に停止するように回転体を停止させる場合に、遊技者の技量の如何により一層確実性高く、内部当りとなった賞に入賞可能な状態となるものを含むものであり、単に数学的な確率が上がることのみを言うものではない。
（６）　次に、入賞によって遊技者に与えられる賞としては、例えば、メダルやコイン等の遊技媒体の払い出し、遊技媒体保留情報（クレジット）の加算、再遊技（リプレイ）可能回数等の価値情報の加算、遊技者にとってより有利な条件の特別ゲームの開始等、又はそれらのうち２以上のものの組み合わせ等を挙げることができる。特別ゲームが開始される賞は、１種であってもよく２種以上であってもよい。また特別ゲームの内容は、１種であってもよく２種以上であってもよい。特別ゲームから更に同種又は異種の特別ゲームに移行し得るものとすることもできる。
　【００３２】
　特別ゲームは、一般ゲームよりも入賞確率が高いというような、一般に、遊技者にとって有利な条件のゲームである。一般ゲームというのは、特別な条件を要することなく通常行われるゲームを言う。特別ゲームとしては、例えば、所定枚数のメダル（遊技媒体の一例）を払い出す賞に高率で入賞し得るＳＢ（シングルボーナス）、ＳＢを所定回数繰り返すことができるＲＢ（レギュラーボーナス）、ＲＢを所定回数繰り返すことができるＢＢ（ビッグボーナス）等の他、特別ゲーム開始以外の賞を遊技者の技量次第で狙って当てることが一定期間可能になるＣＴ（チャレンジタイム）、ＳＢの当選確率が所定期間中１０倍程度になる１０倍役物、全部又は一部の付加表示位置が有効となって入賞率が高まるゲーム等を挙げることができる。
（７）　本発明の遊技装置は、ｎ行×ｎ列の行列状の基本表示位置に加えて付加表示位置を有する。たて３列×よこ３行の基本表示位置における横線３本及び対角線２本の５通りの直線上の各３個のシンボルのみが有効な従来のスロットマシンとは異なり、基本表示位置におけるシンボルのみならず付加表示位置に固定的に表示されたシンボルによっても入賞し得るので、マンネリ化が防がれ遊技者に新しさを感じさせると共に入賞の期待感を増大させる。
　【００３３】
　然も、付加表示位置に固定的に表示されたシンボルによって入賞すると、たて３列×よこ３行の基本表示位置に停止表示される９個のシンボルのうち横線３本及び対角線２本の５通りの直線上の各３個のシンボルの組み合わせのみを入賞条件達成の判定上有効とする従来のスロットマシンに比し、遊技者に得をした気分を起こさせ、一層興味を惹くことができる。
　【００３４】
　また、付加表示位置に固定的に表示されたシンボルによって入賞するのは、付加表示位置に固定的に表示されたシンボルがその列の隣接基本表示位置に位置したとした場合に入賞条件を達成するときに入賞条件達成と判定される場合であるから、遊技者にとって入賞の成否の判断が容易である。
　【００３５】
　入賞条件達成上有効なｎ個のシンボルの並びは、ｎ行×ｎ列の行列状の基本表示位置における（ｎ＋２）通りに加えて、付加表示位置の数及び位置によって例えば次のように増加する。なお、［］内は、図１に示すように基本表示位置（１、２、３、４、５、６、７、８、及び９の各位置）が３行×３列の行列状である場合の具体例を示す。
基本表示位置における有効な並び：（ｎ＋２）通り［１−２−３、４−５−６、７−８−９、１−５−９、及び７−５−３の５通り
基本表示位置の角部［１］に隣接して１つの付加表示位置［ａ］：２通り増加［ａ−２−３、ａ−５−９］
基本表示位置の角部以外の位置［２］に隣接して１つの付加表示位置［ｂ］：１通り増加［１−ｂ−３］
基本表示位置の同じ端部における角部［９］及び角部以外［８］にそれぞれ隣接して２つの付加表示位置［ｆ、ｅ］：４通り増加［１−５−ｆ、７−８−ｆ、７−ｅ−９、７−ｅ−ｆ］
基本表示位置の同じ端部における２箇所の角部［１、３］にそれぞれ隣接して２つの付加表示位置［ａ、ｃ］：５通り増加［ａ−２−３、ａ−５−９、１−２−ｃ、７−５−ｃ，ａ−２−ｃ］
基本表示位置の異なる端部における角部［７］及び角部以外［２］にそれぞれ隣接して２つの付加表示位置［ｄ、ｂ］：３通り増加［ｄ−５−３、ｄ−８−９、１−ｂ−３］
基本表示位置の１つの対角線の両端の２箇所の角部［１、９］にそれぞれ隣接して２つの付加表示位置［ａ、ｆ］：５通り増加［ａ−２−３、ａ−５−９、１−５−ｆ、７−８−ｆ、ａ−５−ｆ］
基本表示位置の異なる端部における２つの対角線の一端の２箇所の角部［１、７］にそれぞれ隣接して２つの付加表示位置［ａ、ｄ］：４通り増加［ａ−２−３、ａ−５−９、ｄ−５−３、ｄ−８−９］
入賞条件達成上有効なシンボルの並びの数が多くなりすぎることを避けて、ＢＢ（ビッグボーナス）等の遊技者にとって有利な特別ゲームを開始する賞やその他の賞の入賞率（全ての組み合わせの数における当該入賞の組み合わせの数の割合。内部当りの抽選の確率もこれに合せたものとすることが多い。）が高くなりすぎるという不都合が生じることを防ぎ得る。
　【００３６】
　また、付加表示位置の有効・無効を、１ゲーム又は複数ゲーム毎に、抽選を行なった結果又は他の条件により行なうものとすれば、その変更自体も遊技者の興味を引き付け、更に興趣を高めることができる。
（８）　本発明の遊技装置は、一列に並んだｎ個の基本表示位置の一方の端部の延長上に隣接して１個の付加表示位置を有する表示手段を１乃至（ｎ−１）有すると共に、一列に並んだｎ個の基本表示位置の他方の端部の延長上に隣接して１個の付加表示位置を有する表示手段を０乃至（ｎ−１）有するものとすることが好ましい。
　【００３７】
　一方の端部の付加表示位置にｎ個のシンボルが固定的に表示される場合、及び、他方の端部の付加表示位置にｎ個のシンボルが固定的に表示される場合、すなわち、基本表示位置のｎ行（各ｎ個のシンボル）に加えて付加表示位置に１行又は２行（各ｎ個のシンボル）が追加される場合がない。そのため、基本表示位置を１又は２行増したに過ぎないと誤解されることが防がれ、付加表示位置に固定的に表示されたシンボルがその列の隣接基本表示位置に位置したとした場合に入賞条件を達成するときに入賞条件達成と判定されて言わば得をしたことになり得るものであることが遊技者に理解され易く、遊技者により新しさを感じさせると共に入賞の期待感をより増大させる。
　【００３８】
　【発明の実施の形態】
　本発明の実施の形態を、図面を参照しつつ説明する。
　【００３９】
　図２乃至図５は、本発明の実施の形態の例としてのスロットマシンについてのものであって、図２は、スロットマシンの構成の概要を示すブロック図、図３は、スロットマシンの外観の正面図、図４は、払込みメダル数に対応する有効な組合せを示す説明図、図５は、内部当りフラグセットまでの処理動作の概略を示すフローチャートである。
（１）　遊技者が対面するスロットマシンの正面について、図３を参照しつつ説明する。
　【００４０】
　上端部の３箇所（左右及び中央）にヒットランプ１０が設けられている。
　【００４１】
　上下方向中央部のやや上方には、左シンボル表示窓１２ａ、中央シンボル表示窓１２ｂ及び右シンボル表示窓１２ｃが水平方向等間隔に並列に設けられている。
　【００４２】
　このスロットマシンは、３行×３列の行列状の基本表示位置（［１］、［２］、［３］、［４］、［５］、［６］、［７］、［８］、［９］の各位置）及び基本表示位置［１］の上側に隣接する付加表示位置［ａ］を有する。左シンボル表示窓１２ａにおいては、上から下に付加表示位置［ａ］及び基本表示位置［１］・［４］・［７］が一列に並ぶ。中央シンボル表示窓１２ｂにおいては、上から下に基本表示位置［２］・［５］・［８］が一列に並び、右シンボル表示窓１２ｃにおいては、上から下に基本表示位置［３］・［６］・［９］が一列に並ぶ。
　【００４３】
　スロットマシン内部における左シンボル表示窓１２ａ、中央シンボル表示窓１２ｂ及び右シンボル表示窓１２ｃにそれぞれ対応する位置に、左リール１４ａ、中央リール１４ｂ及び右リール１４ｃが水平方向回転軸線を中心として互いに独立的に回転自在に支持されている。各リール１４ａ・１４ｂ・１４ｃの外周面には、多種のシンボル（オレンジ、プラム、ベル、チェリー等の絵、「７」の文字、「ＢＡＲ」の文字、「ＲＰ」の文字等。図示せず。）が周方向における一定距離毎に順に表示されている。
　【００４４】
　左リール１４ａ停止時には、周方向に連続する任意の４つのシンボルが左シンボル表示窓１２ａの付加表示位置［ａ］及び基本表示位置［１］・［４］・［７］に表示される。また、中央リール１４ｂ停止時には、周方向に連続する任意の３つのシンボルが中央シンボル表示窓１２ｂの基本表示位置［２］・［５］・［８］に表示され、右リール１４ｃ停止時には、周方向に連続する任意の３つのシンボルが右シンボル表示窓１２ｃの基本表示位置［３］・［６］・［９］に表示される。遊技者はこれらのシンボルを視認することができる。各リール１４ａ・１４ｂ・１４ｃは、それぞれ別々のステッピングモータ（回転駆動装置の一例。図示せず。）によって、回転駆動され、また停止保持される。
　【００４５】
　シンボル表示窓１２ａ・１２ｂ・１２ｃには、左リール１４ａ、中央リール１４ｂ及び右リール１４ｃが停止状態でそれぞれ３つずつ基本表示位置（［１］、［２］、［３］、［４］、［５］、［６］、［７］、［８］、［９］）に表示するシンボルに関し、入賞判定において、払い込まれたメダルの枚数（１乃至３枚）に応じて有効とされる整列位置を示すライン１６（線）が５本描かれている。各ライン１６の左端部には、払い込まれたメダルの枚数に応じてどのライン１６が有効であるかを示す有効ランプ１８が配設されている。この例においては、払い込まれたメダルが１枚の場合、「１ＭＥＤＡＬ」の有効ランプ１８の点灯によって中央の水平ライン１６が有効であることが示され［図４（ａ）における黒丸３個のラインに相当］、メダルが２枚の場合、「１ＭＥＤＡＬ」及び２つの「２ＭＥＤＡＬＳ」の有効ランプ１８の点灯によって３本の水平ライン１６が全て有効であることが示され［図４（ｂ）における黒丸３個の３通りのライン相当］、メダルが３枚の場合、「３ＭＥＤＡＬＳ」の有効ランプ１８を含む全ての有効ランプ１８の点灯によって、両対角ライン１６を含む５本のライン１６が有効であることが示される［図４（ｃ−１）における黒丸３個の５通りのライン相当］。
　【００４６】
　更に、ライン１７は、払込まれたメダルが３枚の場合（「３ＭＥＤＡＬＳ」の有効ランプ１８が点灯する）に、入賞判定において付加表示位置［ａ］が有効となることを示す。この場合、付加表示位置［ａ］に停止表示されたシンボルがその列の隣接基本表示位置である［１］に位置したとした場合に入賞条件を達成するときに入賞条件達成と判定される。換言すれば、図４（ｃ−１）の５通りのラインに加えて、図４（ｃ−２）における黒丸３個の２通りのラインが有効となる。
　【００４７】
　このような構成の場合、３個のリールの各３つのシンボルをシンボル表示窓に表示する従来のスロットマシンをほぼそのまま使用し得る。すなわち、正面パネルのシンボル表示窓１２付近を変えるだけで、従来のスロットマシンを利用し得、スロットマシンの通常の機種変更と同様の軽微な負担で済む。
　【００４８】
　遊技者は、有効ランプ１８によって示された有効ライン１６上及び付加表示位置［ａ］に、各リール１４ａ・１４ｂ・１４ｃにおけるどのようなシンボルが位置しているかを見てゲームの結果（入賞か否か、及び入賞した賞の種類）を知ることができる。
　【００４９】
　従来のスロットマシンと同様のたて３列×よこ３行の行列状の基本表示位置（［１］、［２］、［３］、［４］、［５］、［６］、［７］、［８］、［９］）におけるシンボルのみならず付加表示位置［ａ］に停止表示されたシンボルによっても入賞し得るので、マンネリ化が防がれ遊技者に新しさを感じさせると共に入賞の期待感を増大させる。然も、付加表示位置［ａ］に停止表示されたシンボルによって入賞［図４（ｃ−２）における２通りのライン］すると、たて３列×よこ３行の基本表示位置に停止表示される９個のシンボルのうち横線３本及び対角線２本の５通りの直線上の各３個のシンボルの組み合わせのみを入賞条件達成の判定上有効とする従来のスロットマシンに比し、遊技者に得をした気分を起こさせ、一層興味を惹くことができる。
　【００５０】
　また、付加表示位置［ａ］に停止表示されたシンボルによって入賞するのは、そのシンボルが同列の隣接基本表示位置である［１］に位置したとした場合に入賞条件を達成するときであるから、遊技者にとって入賞の成否判断が容易である。更に、入賞条件達成上有効なシンボルの並びの数は最大で７通りであるから、ＢＢ（ビッグボーナス）等の遊技者にとって有利な特別ゲームを開始する賞やその他の賞の入賞率が高くなりすぎるという不都合が生じることを防ぎ得る。
　【００５１】
　メダルを払い込むには、上下中央部の右方部に設けられたメダル投入口２２からメダルを投入するか、スロットマシンに保留されているメダルがある場合は、ＢＥＴボタン２４を押して必要枚数を払い込む。ＢＥＴボタン２４はメダル投入口２２の左方に設けられている。
　【００５２】
　有効ランプ１８の下方に、リール１４ａ・１４ｂ・１４ｃの回転開始が可能であることを示すために点灯するスタートランプ２６（ＳＴＡＲＴ）が設けられ、ＢＥＴボタン２４の下方に、３つのリール１４ａ・１４ｂ・１４ｃの回転を一斉に開始させるためのスタートレバー２８が設けられている。
　【００５３】
　各リール１４ａ・１４ｂ・１４ｃの下方には、それぞれのリールが回転中であり、その回転をストップボタン３０の押圧により停止させることが可能であることを示すために点灯する３つのストップランプ３２（ＳＴＯＰ）が設けられている。ストップボタン３０は、ストップランプ３２の下方に、各リール１４ａ・１４ｂ・１４ｃに対応して３つ設けられている。
　【００５４】
　メダル投入口２２の上側には、メダルの投入が可能なことを示すために点滅するメダル投入ランプ３４（ＩＮＳＥＲＴ　ＭＥＤＡＬＳ）が設けられている。その上方には、上から順に、保留枚数表示器３８（ＣＲＥＤＩＴ）及び払出枚数表示器４０（ＰＡＹＯＵＴ）が設けられている。
　【００５５】
　下端部にはメダル受皿部４２が設けられ、その中央部の上側にメダル払出口４４が設けられ、その右側にスピーカ２０が設けられている。
（２）　次に、主に図２のブロック図を参照してスロットマシンの構成の概要を説明する。
　【００５６】
　制御部５０は、ゲームの実行や周辺機器等の制御及び各種データの読み書きなどの処理を行うＣＰＵ（中央処理装置）、ＲＡＭ、ゲームの実行や周辺機器等の制御などのためのプログラム及び各種データが書き込まれたＲＯＭ、並びに周辺機器等との接続のための入出力インターフェイスなど（図示せず。）からなり、必要に応じ周辺機器等と連携して、上記表示手段、表示固定手段、内部当り設定手段、入賞判定手段等の機能を実現する。
　【００５７】
　メダル投入ランプ部３４ａは、メダルの投入が可能な場合に制御部５０から与えられる点滅指示信号により、メダル投入ランプ３４を点滅させる。
　【００５８】
　メダル検出部５１は、メダル投入口２２から投入されたメダルを検出して検出信号を制御部５０に出力する。
　【００５９】
　ＢＥＴボタン２４は、スロットマシンに保留されているメダルを賭ける場合にメダル１枚毎に１度押すものであり、１度押す毎にその信号を制御部５０に出力する。
　【００６０】
　スタートランプ部２６ａは、リール１４ａ・１４ｂ・１４ｃの回転開始が可能な状態である場合に制御部５０から与えられる点灯指示信号により、スタートランプ２６を点灯させる。
　【００６１】
　スタートレバー２８は、リールの回転開始が可能な状態において３つのリール１４ａ・１４ｂ・１４ｃの回転を一斉に開始させる場合に、押下することにより回転開始信号を制御部５０に出力する。
　【００６２】
　ストップランプ部３２ａは、リール１４ａ・１４ｂ・１４ｃが回転中であってその回転をストップボタン３０の押圧により停止させることが可能である場合に各リール１４ａ・１４ｂ・１４ｃ毎に制御部５０から与えられる点灯指示信号により、各ストップランプ３２を点灯させる。
　【００６３】
　ストップボタン３０（停止ボタン）は、回転中のリールを停止させる場合に各リール１４ａ・１４ｂ・１４ｃ毎に押圧するものであり、各ストップボタン３０の押圧により、対応するリール１４を停止させるための停止信号を制御部５０に出力する。
　【００６４】
　有効ランプ部１８ａは、賭けられたメダルの枚数に応じて制御部５０から与えられる点灯指示信号により、対応する有効ランプ１８を点灯させる。
　【００６５】
　リール部１４ｄは、３つのリール１４ａ・１４ｂ・１４ｃと、各リール１４ａ・１４ｂ・１４ｃを回転駆動又は停止保持するための３つのステッピングモータと、制御部５０からのステッピングモータ駆動信号に応じてそれらのステッピングモータを駆動するための駆動回路と、一定回転位置において制御部５０に対しリセット信号を出力するためのリセット信号出力部を有してなる（図示せず。）。制御部５０は、各リール１４ａ・１４ｂ・１４ｃの１回転毎に、リセット信号を受けた時点からステッピングモータ駆動信号の例えばパルス数をカウントすることにより、各リール１４ａ・１４ｂ・１４ｃの回転角度、すなわち各シンボルの位置を把握すること（すなわち表示手段による表示内容を検知すること）ができる。
　【００６６】
　ヒットランプ部１０ａは、制御部５０から与えられる点灯指示信号又は点滅指示信号により、ヒットランプ１０を点灯し又は点滅する。
　【００６７】
　音声出力部５２は、制御部５０から出力される音声出力信号に応じ、スピーカ２０から音声を出力する。
　【００６８】
　保留枚数表示部３８ａは、スロットマシンに保留されているメダル枚数として制御部５０に記憶されている枚数に応じて制御部５０から出力される表示信号に従って、その枚数に応じた数字を保留枚数表示器３８に表示する。
　【００６９】
　メダル払出部４４ａは、ゲームの結果に応じ制御部５０において計算されたメダル払出数に応じて制御部５０から出力される払出信号に従って、その枚数に応じたメダルをメダル払出口４４から払い出す。
　【００７０】
　払出枚数表示部４０ａは、ゲームの結果に応じ制御部５０において算出されたメダル払出数に応じて制御部５０から出力される表示信号に従って、その枚数に応じた数字を払出枚数表示器４０に表示する。
（３）　次に、ゲーム実行処理動作の概略を説明する。
　【００７１】
　先ず、ステップＳ１において、制御部５０がメダル払込みの有無を判定する。メダルの投入が可能でメダル投入ランプ３４が点滅状態にある場合にメダル投入口２２から１乃至３枚のメダルを投入するか、保留されているメダルがあって保留枚数表示器３８に１以上が表示されている場合にＢＥＴボタン２４押圧により１枚以上のメダルが払い込まれることにより、ステップＳ１の判定はＹ（ＹＥＳ）となる。それにより、スタートランプ２６が点灯する（Ｓ２）と共に、投入されたメダル枚数に応じて有効ランプ１８が点灯し、ステップＳ３に進む。
　【００７２】
　スタートレバー２８を押下すると、ステップＳ３はＹとなり、制御部５０は、次のステップＳ４でスタートランプ２６を消灯し、ステップＳ５で３つのリール１４ａ・１４ｂ・１４ｃを一斉に回転させる。更にステップＳ６でＢＢ（ビッグボーナス）、ＲＢ（レギュラーボーナス）、及びＳＢ（シングルボーナス）；並びにその他の遊技者にとって比較的利益の小さい賞（小物）であるオレンジ、プラム、ベル、チェリー等又は再遊技について、制御部５０において、内部当りか否かの抽選を行う。この例においては、全ての賞が内部当り対象賞である。抽選は、乱数サンプリングを実行し、得られたサンプリング値をＲＯＭに書き込まれているデータに照らして、当選か否か及びその賞の種類等を判定することにより行う。他の方法による抽選も可能である。抽選により何れかの賞の内部当りとなった場合（Ｓ７−Ｙ）、その賞に対応する内部当りフラグ（Ｓ８）がセットされる。
　【００７３】
　次いで、制御部５０が全てのストップランプ３２を点灯させる。その後、遊技者が適宜のタイミングで各ストップボタン３０を押圧することにより（或いは所定時間ストップボタン３０を押圧せずに不操作状態が継続することにより）出力される停止信号を制御部５０が検知すると、制御部５０は、リール停止操作時に発する停止音の出力信号を音声出力部５２に対し出力し、音声出力部５２はそれに応じてスピーカ２０から停止音を出力する。次いで制御部５０はリール１４ａ・１４ｂ・１４ｃのうち対応するものについてのステッピングモータを停止させる。
　【００７４】
　制御部５０が対応するリールのステッピングモータを停止させる際、ＢＢ、ＲＢ、ＳＢ、再遊技等の何れかの賞の内部当り状態となっていることを示すフラグが何れもセットされていなければ、制御部５０はストップボタン３０押圧（或いは所定時間放置）による停止信号を受けた後一定のタイミングでリールを停止させる。但し、リールが前記一定のタイミングで停止する際に、投入されたメダル枚数に応じて有効ランプ１８で示される有効組み合わせ位置において何れかの賞の入賞条件を達成することとなる場合は、そのリールを１コマ送る（シンボル１つ分余分に回転させる）。それでも何れかの賞について入賞することとなる場合は、入賞とならないようになるまでリールのコマ送りを繰り返す。
　【００７５】
　この場合は、３つのリール１４ａ・１４ｂ・１４ｃが停止した状態で入賞に係るシンボルの組み合わせが有効ランプ１８で示される有効組み合わせ位置に表示されないため、その後ステップＳ１に戻る。
　【００７６】
　何れかの賞に内部当り状態となっていることを示すフラグがセットされている場合、制御部５０は、ストップボタン３０の押圧等による停止信号を受けた時点から内部当り状態となっている賞への入賞に必要なシンボルが入賞に必要な位置に達するまでの差が規定停止時間内であるときは、そのシンボルが必要位置に表示されるようにリールを停止させる。すなわち、そのシンボルをシンボル表示窓１２の必要位置に引き込む。このようにして、内部当り状態が設定されている場合に、その賞に入賞する率を上げるか又は入賞がほぼ確実となるようにして高入賞率化する。前記規定停止時間内にないときは、他の賞について入賞とならないように必要に応じリールを１コマずつ送って停止させる。
　【００７７】
　第３のリールが停止すると、制御部５０は、有効ランプ１８によって示される有効な基本表示位置及び有効な付加表示位置に表示されたシンボルの種類及び並び方を把握し、入賞か否か、及び入賞した賞の種類を判定する。その際遊技者も、同様に入賞か否か、及び入賞した賞の種類を知ることとなる。
　【００７８】
　入賞と判定された場合、制御部５０は、賞の内容に応じ、例えば所定枚数のメダルの払出しをメダル払出部４４ａに指示すると共に、その枚数に応じた数字を払出枚数表示器４０に表示するよう払出枚数表示部４０ａに指示し、更に、その賞の内部当りを示すフラグをクリアする。次いで、その賞が特別ゲームを開始するものでない場合はステップＳ１に戻り、その賞がＢＢ、ＲＢ等の特別ゲームを開始するものであるときは、ヒットランプ１０の点滅及びスピーカ２０からの効果音出力により各特別ゲーム開始の賞に入賞したことが報知され、その特別ゲームへ移行し、特別ゲーム終了後、ステップＳ１に戻る。
　【００７９】
　ＢＢフラグ又はＲＢフラグがセットされていない場合において入賞なしと判定されたときは、ＢＢフラグ及びＲＢフラグを除く全ての賞についての内部当りフラグをクリアする。次いでステップＳ１に戻り、ゲームが繰り返される。
　【００８０】
　ＢＢ及びＲＢの内部当りフラグは、ＢＢ及びＲＢに入賞するまでセットされた状態を継続させる。但し、ＢＢフラグ又はＲＢフラグがある場合にそれぞれＢＢ又はＲＢに入賞せずにステップＳ１に戻って繰り返されるゲームにおいては、ステップＳ６の抽選は行われない。或いは、例えば、ステップＳ６の抽選を、小物の全部又は一部についてのみ行うようにすることもできる。
　【００８１】
　なお、本発明の実施は、電気回路若しくは電子回路による手段又は機械的な手段に代えてソフトウェアを用いて行ってもよく、ソフトウェアを用いる手段に代えて電気回路若しくは電子回路による又は機械的な手段により行ってもよい。
　【００８２】
　【発明の効果】
　本発明の遊技装置においては、たて３列×よこ３行の基本表示位置における横線３本及び対角線２本の５通りの直線上の各３個のシンボルのみが有効な従来のスロットマシンとは異なり、基本表示位置におけるシンボルのみならず付加表示位置に固定的に表示されたシンボルによっても入賞し得るので、マンネリ化が防がれ遊技者に新しさを感じさせると共に入賞の期待感を増大させる。然も、付加表示位置に固定的に表示されたシンボルによって入賞すると従来のスロットマシン等に比し遊技者に得をした気分を起こさせ、一層興味を惹くことができる。その入賞の成否の判断も容易である。
　【００８３】
　また、入賞条件達成上有効なシンボルの並びの数が多くなりすぎることを避けて、ＢＢ（ビッグボーナス）等の遊技者にとって有利な特別ゲームを開始する賞やその他の賞の入賞率が高くなりすぎるという不都合が生じることを防ぎ得る。
　【００８４】
　更に、付加表示位置の有効・無効を、１ゲーム又は複数ゲーム毎に、抽選を行なった結果又は他の条件により行なうものとすれば、その変更自体も遊技者の興味を引き付け、より一層興趣を高めることができる。
【図面の簡単な説明】
　【図１】
　３行×３列の基本表示位置及び付加表示位置の例を示す説明図である。
　【図２】
　スロットマシンの構成の概要を示すブロック図である。
　【図３】
　スロットマシンの外観の正面図である。
　【図４】
　払込みメダル数に対応する有効な組合せを示す説明図である。
　【図５】
　内部当りフラグセットまでの処理動作の概略を示すフローチャートである。
　【符号の説明】
　１乃至９　基本表示位置
　ａ　　　　付加表示位置
　１６　　　有効ライン